【手続補正書】
【提出日】平成30年4月18日(2018.4.18)
【手続補正１】
【補正対象書類名】明細書
【補正対象項目名】００１０
【補正方法】変更
【補正の内容】
【００１０】
上記目的を達成するために本発明は、画像形成装置であって、省電力モードに移行する際に通信リンクの切断を行わないことを示す第１の設定と、省電力モードに移行する際に通信速度を低速に変更することを示す第２の設定とのいずれかを、ユーザ指示に従って設定する設定手段と、前記第１の設定が前記設定手段によって設定されている場合、前記画像形成装置を第１の省電力モードに移行させ、前記第２の設定が前記設定手段によって設定されている場合、前記画像形成装置を第２の省電力モードに移行させる制御手段と、を備え、前記画像形成装置が前記第１の省電力モードに移行する場合、通信リンクの切断は行われず、前記画像形成装置が前記第２の省電力モードに移行する場合、前記画像形成装置の通信速度は低速に変更されることを特徴とする。
【手続補正２】
【補正対象書類名】特許請求の範囲
【補正対象項目名】全文
【補正方法】変更
【補正の内容】
【特許請求の範囲】
【請求項１】
画像形成装置であって、
省電力モードに移行する際に通信リンクの切断を行わないことを示す第１の設定と、省電力モードに移行する際に通信速度を低速に変更することを示す第２の設定とのいずれかを、ユーザ指示に従って設定する設定手段と、
前記第１の設定が前記設定手段によって設定されている場合、前記画像形成装置を第１の省電力モードに移行させ、前記第２の設定が前記設定手段によって設定されている場合、前記画像形成装置を第２の省電力モードに移行させる制御手段と、を備え、
前記画像形成装置が前記第１の省電力モードに移行する場合、通信リンクの切断は行われず、
前記画像形成装置が前記第２の省電力モードに移行する場合、前記画像形成装置の通信速度は低速に変更されることを特徴とする画像形成装置。
【請求項２】
前記画像形成装置が前記第１の省電力モードで動作する場合における前記画像形成装置の各ユニットへの電力供給状態と、前記画像形成装置が前記第２の省電力モードで動作する場合における前記画像形成装置の各ユニットへの電力供給状態は、同じであることを特徴とする請求項１記載の画像形成装置。
【請求項３】
前記画像形成装置と連携する外部装置が前記画像形成装置に接続されている場合、前記制御手段は、前記画像形成装置を前記第２の省電力モードではなく前記第１の省電力モードに移行させることを特徴とする請求項１または２記載の画像形成装置。
【請求項４】
前記画像形成装置と連携する前記外部装置は、イメージコントローラであることを特徴とする請求項３記載の画像形成装置。
【請求項５】
ＳＩＰの運用設定が前記画像形成装置に設定されている場合、前記制御手段は、前記画像形成装置を前記第２の省電力モードではなく前記第１の省電力モードに移行させることを特徴とする請求項１又は２記載の画像形成装置。
【請求項６】
前記第１の設定と前記第２の設定のいずれかをユーザが選択するための設定画面を表示する表示手段を更に備え、
前記設定手段は、前記設定画面を介して入力されたユーザ指示に従って、前記第１の設定と前記第２の設定のいずれかを設定することを特徴とする請求項１又は２記載の画像形成装置。
【請求項７】
前記画像形成装置と連携する外部装置が前記画像形成装置に接続されている場合、前記制御手段は、前記設定画面においてユーザが前記第２の設定を選択することを禁止することを特徴とする請求項６記載の画像形成装置。
【請求項８】
前記画像形成装置と連携する前記外部装置は、イメージコントローラであることを特徴とする請求項７記載の画像形成装置。
【請求項９】
ＳＩＰの運用設定が前記画像形成装置に設定されている場合、前記制御手段は、前記設定画面においてユーザが前記第２の設定を選択することを禁止することを特徴とする請求項６記載の画像形成装置。
【請求項１０】
画像形成装置であって、
画像を記録媒体に印刷するプリンタと、
原稿上の画像を読み取るスキャナと、
プログラムを実行するプロセッサと、
少なくとも前記プリンタと前記スキャナと前記プロセッサとに電力が供給されない特定の省電力モードに前記画像形成装置が移行するときに通信リンクを切断して前記画像形成装置の通信速度を低速に変更するか、又は、前記特定の省電力モードに前記画像形成装置が移行するときに通信リンクを切断しないかを、前記画像形成装置の省電力設定に基づいて判定する判定手段と、
を有することを特徴とする画像形成装置。
【請求項１１】
前記判定手段は、
前記省電力設定として第１の設定が設定されている場合、前記特定の省電力モードに移行するときに通信リンクを切断して前記画像形成装置の通信速度を低速に変更すると判定し、
前記省電力設定として第２の設定が設定されている場合、前記特定の省電力モードに移行するときに通信リンクを切断しないと判定することを特徴とする請求項１０記載の画像形成装置。
【請求項１２】
前記第１の設定と第２の設定のいずれかをユーザが選択するための設定画面を表示する表示手段を有することを特徴とする請求項１０又は１１記載の画像形成装置。
【請求項１３】
前記判定手段は、
前記画像形成装置に所定の外部装置が接続されている場合、前記省電力設定に関わらず、前記特定の省電力モードに移行するときに通信リンクを切断しないと判定することを特徴とする請求項１０から１２のいずれか１項に記載の画像形成装置。
【請求項１４】
前記所定の外部装置は、イメージコントローラであることを特徴とする請求項１３記載の画像形成装置。
【請求項１５】
前記判定手段は、
所定の運用設定が前記画像形成装置に設定されている場合、前記省電力設定に関わらず、前記特定の省電力モードに移行するときに通信リンクを切断しないと判定することを特徴とする請求項１０から１２のいずれか１項に記載の画像形成装置。
【請求項１６】
前記所定の運用設定は、ＳＩＰの運用設定であることを特徴とする請求項１５記載の画像形成装置。
【請求項１７】
前記特定の省電力モードへの移行を許可する設定が設定されている場合、前記画像形成装置は、前記特定の省電力モードに移行可能であり、
前記特定の省電力モードへの移行を許可しない設定が設定されている場合、前記画像形成装置は、前記特定の省電力モードに移行しないことを特徴とする請求項１０記載の画像形成装置。
【請求項１８】
画像形成装置の制御方法であって、
省電力モードに移行する際に通信リンクの切断を行わないことを示す第１の設定と、省電力モードに移行する際に通信速度を低速に変更することを示す第２の設定とのいずれかを、ユーザ指示に従って設定する設定工程と、
前記第１の設定が設定されている場合、前記画像形成装置を第１の省電力モードに移行させ、前記第２の設定が設定されている場合、前記画像形成装置を第２の省電力モードに移行させる制御工程と、を有し、
前記画像形成装置が前記第１の省電力モードに移行する場合、通信リンクの切断は行われず、
前記画像形成装置が前記第２の省電力モードに移行する場合、前記画像形成装置の通信速度は低速に変更されることを特徴とする画像形成装置の制御方法。
【請求項１９】
画像を記録媒体に印刷するプリンタと、原稿上の画像を読み取るスキャナと、プログラムを実行するプロセッサと、を有する画像形成装置の制御方法であって、
少なくとも前記プリンタと前記スキャナと前記プロセッサとに電力が供給されない特定の省電力モードに前記画像形成装置が移行するときに通信リンクを切断して前記画像形成装置の通信速度を低速に変更するか、又は、前記特定の省電力モードに前記画像形成装置が移行するときに通信リンクを切断しないかを、前記画像形成装置の省電力設定に基づいて判定することを特徴とする画像形成装置の制御方法。
【請求項２０】
コンピュータを、請求項１から１７のいずれか１項に記載の画像形成装置として動作させるためのプログラム。